(57)【要約】【課題】コンテンツの投稿者およびユーザにおける、広告や課金に関する意識を適宜に抑制しつつ、当該コンテンツのクオリティや面白さの追求を可能とする。【解決手段】情報処理装置１０において、コンテンツ加工に用いうる広告用フィルタを保持するフィルタ保持部３１と、所定サイトにてコンテンツの投稿を行う端末２に、前記広告用フィルタを配信するフィルタ配信部２１と、端末２において広告用フィルタによる加工が施されたコンテンツがサイトに投稿された場合、当該コンテンツの投稿者および当該コンテンツの閲覧者の少なくともいずれかに対し、広告用フィルタに関して予め定めたインセンティブの付与処理を実行するインセンティブ付与部２２を備えるものとする。【選択図】図２
2020177359.tif 000002
【特許請求の範囲】
【請求項１】
コンテンツ加工に用いうる広告用フィルタを保持するフィルタ保持部と、
所定サイトにてコンテンツの投稿を行う端末に、前記広告用フィルタを配信するフィルタ配信部と、
前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するインセンティブ付与部と、
を備える情報処理装置。
【請求項２】
前記インセンティブ付与部は、
前記コンテンツにおける前記広告用フィルタに対し、前記閲覧者による所定操作を当該端末から受けた場合、または、前記操作により前記広告用フィルタに対応した特定コンテンツへのアクセスがなされた場合、前記インセンティブの付与処理を実行する、請求項１記載の情報処理装置。
【請求項３】
前記インセンティブ付与部は、
前記付与処理に際し、前記インセンティブとして、前記広告用フィルタの提供元である広告主による広告料を原資とした所定額の金員を、前記投稿者および前記閲覧者の少なくともいずれかに付与する、請求項１または２のいずれか記載の情報処理装置。
【請求項４】
前記インセンティブ付与部は、
前記広告主が前記広告用フィルタによる広告訴求の必要度、緊急度、および訴求範囲の少なくともいずれかに応じて予め定めた、前記広告用フィルタの単位使用当たりないし単位閲覧当たりの付与額を、前記投稿者による広告用フィルタ使用回数ないし前記閲覧者による広告用フィルタ閲覧回数に適用して、前記金員の額を算定する、請求項３記載の情報処理装置。
【請求項５】
前記投稿者に関する属性情報を保持する属性保持部を更に備え、
前記フィルタ配信部は、
前記投稿者の端末に対する前記広告用フィルタの配信を行うに際し、当該投稿者の属性を前記属性情報で特定し、前記属性と適合性を有することが予め規定された広告用フィルタを、前記端末に配信する、請求項１〜４のいずれか記載の情報処理装置。
【請求項６】
前記フィルタ保持部は、
前記広告用フィルタとして、広告対象の画像、ロゴ、キャラクタ、キャッチコピー、および広告動画の少なくともいずれかを、前記コンテンツである画像、動画、およびテキストの少なくともいずれかに所定の透明度で重ね合わせて使用するフィルタを保持する、請求項１〜５のいずれか記載の情報処理装置。
【請求項７】
前記広告用フィルタの使用履歴を保持する履歴保持部を更に備え、
前記インセンティブ付与部は、
前記広告用フィルタに関する、前記投稿者による使用程度を、前記使用履歴に基づき特定し、当該使用程度が所定基準に達している場合、当該投稿者による前記広告用フィルタの使用に際して所定の制限処理を適用する、請求項１記載の情報処理装置。
【請求項８】
前記インセンティブ付与部は、
前記制限処理として、前記広告用フィルタの使用拒否、または使用回数の上限設定、の少なくともいずれかを適用する、請求項７記載の情報処理装置。
【請求項９】
情報処理装置が、
コンテンツ加工に用いうる広告用フィルタを保持して、
所定サイトにてコンテンツの投稿を行う端末に、前記広告用フィルタを配信するステップと、
前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するステップと、
を実行する情報処理方法。
【請求項１０】
情報処理装置において、
コンテンツ加工に用いうる広告用フィルタを保持して、
所定サイトにてコンテンツの投稿を行う端末に、前記広告用フィルタを配信するステップと、
前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するステップと、
を実行させるプログラム。
【発明の詳細な説明】
【技術分野】
【０００１】
本開示は、情報処理装置、情報処理方法、およびプログラムに関し、より具体的には、コンテンツの投稿者およびユーザにおける、広告や課金に関する意識を適宜に抑制しつつ、当該コンテンツのクオリティや面白さの追求を可能とする技術に関する。
【背景技術】
【０００２】
ソーシャルネットワーキングサービス（以下、ＳＮＳ）のユーザは、当該ＳＮＳ上で家族や友人、同僚などと繋がりを形成し、互いの投稿を閲覧している。また、各ユーザは、投稿の閲覧に際し、当該投稿内容に対する共感や非共感の各種意思表示、或いはコメントの付与などを伴うケースも多い。
【０００３】
こうしたＳＮＳは、世界的なユーザ数の増大もあって一種の社会インフラ化しており、広告媒体としての存在感を年々高めている。そこで、ＳＮＳのユーザに対し有効な広告配信を行い、訴求効率等を高めるための技術が提案されている。
【０００４】
例えば、会員端末、ＳＮＳサーバ及びコンテンツ提供端末とネットワーク接続されたサーバであって、前記ＳＮＳサーバと通信して会員の情報発信力のスコアをスコアリングし、  前記コンテンツ提供端末から提供されたコンテンツを前記会員端末に提供し、前記会員端末の前記コンテンツに関連する前記ＳＮＳサーバに対する行動履歴と行動に対する反響をフィードバック要素として、前記スコアを再スコアリングすることを特徴とするスコアリングサーバ（特許文献１参照）などが知られている。
【０００５】
特許文献１の発明によれば、広告などのコンテンツ提供者が、興味・関心、行動特性に応じて任意にプロモーションにマッチしたインフルエンサーを絞り込み、ターゲット数やターゲット条件を簡易にコントロールすることができ、また、プロモーション配信後の効果、結果を影響力、情報発信力にフィードバックして、スコアリングの精度を上げることができる。
【先行技術文献】
【特許文献】
【０００６】
【特許文献１】国際公開第２０１８／０３７５９２号
【発明の概要】
【発明が解決しようとする課題】
【０００７】
特許文献１などが示す従来技術を適宜に採用し、ＳＮＳ上で影響力のあるユーザをターゲットに広告配信を行うことで、広告対象に関する情報拡散を期待することは可能である。ただし、ＳＮＳのユーザの中には、こうした広告配信やそれに伴う課金、投げ銭などに対して忌避感を持ち始めている者もおり、無闇な広告配信が却って逆効果となる可能性も大いにある。
【０００８】
一方、上述のＳＮＳとは別に、一般コンシューマがスマートフォン等の端末で、手軽にコンテンツを投稿し、これを公開する仕組みは広く提供されている。特に最近では、いわゆるＣＧＭ（Ｃｏｎｓｕｍｅｒ  Ｇｅｎｅｒａｔｅｄ  Ｍｅｄｉａ）が盛り上がりを見せており、その一つとして、投稿者自身のコンテンツを利用してセルフプロデュースを行える投稿サイト、および、そうした投稿サイトのサービスに対応したスマートフォン用の各種アプリが存在する。
【０００９】
上述の一般コンシューマらは、自身のコンテンツに関して多くの課金機会を得たいとの意識よりも、自身のセルフプロデュース成功に向けた意識の方が高く、コンテンツのユーザとともに当該コンテンツを楽しみ、その結果として高評価を得ることが重要との想いが強い。当然、当該ユーザに課金を意識させず、コンテンツの面白さを追求することが大切になってくる。
【００１０】
ところが、既に述べたＳＮＳのユーザに対する広告配信や、上述のＣＧＭでのコンテンツユーザに関する課金のそれぞれの課題に関し、それらを併せて解決する適宜な手段は提案されていない。
【００１１】
そこで本開示の目的は、コンテンツの投稿者およびユーザにおける、広告や課金に関する意識を適宜に抑制しつつ、当該コンテンツのクオリティや面白さの追求を可能とする技術を提供することにある。
【課題を解決するための手段】
【００１２】
上記目的を達成するために、本開示の一態様における情報処理装置は、コンテンツ加工に用いうる広告用フィルタを保持するフィルタ保持部と、所定サイトにてコンテンツの投稿を行う端末に、前記広告用フィルタを配信するフィルタ配信部と、前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するインセンティブ付与部と、を備える。
【００１３】
また、本開示の一態様における情報処理装置では、前記インセンティブ付与部は、前記コンテンツにおける前記広告用フィルタに対し、前記閲覧者による所定操作を当該端末から受けた場合、または、前記操作により前記広告用フィルタに対応した特定コンテンツへのアクセスがなされた場合、前記インセンティブの付与処理を実行する、としてもよい。
【００１４】
また、本開示の一態様における情報処理装置では、前記インセンティブ付与部は、前記付与処理に際し、前記インセンティブとして、前記広告用フィルタの提供元である広告主による広告料を原資とした所定額の金員を、前記投稿者および前記閲覧者の少なくともいずれかに付与する、としてもよい。
【００１５】
また、本開示の一態様における情報処理装置では、前記インセンティブ付与部は、前記広告主が前記広告用フィルタによる広告訴求の必要度、緊急度、および訴求範囲の少なくともいずれかに応じて予め定めた、前記広告用フィルタの単位使用当たりないし単位閲覧当たりの付与額を、前記投稿者による広告用フィルタ使用回数ないし前記閲覧者による広告用フィルタ閲覧回数に適用して、前記金員の額を算定する、としてもよい。
【００１６】
また、本開示の一態様における情報処理装置では、前記投稿者に関する属性情報を保持する属性保持部を更に備え、前記フィルタ配信部は、前記投稿者の端末に対する前記広告用フィルタの配信を行うに際し、当該投稿者の属性を前記属性情報で特定し、前記属性と適合性を有することが予め規定された広告用フィルタを、前記端末に配信する、としてもよい。
【００１７】
また、本開示の一態様における情報処理装置では、前記フィルタ保持部は、前記広告用フィルタとして、広告対象の画像、ロゴ、キャラクタ、キャッチコピー、および広告動画の少なくともいずれかを、前記コンテンツである画像、動画、およびテキストの少なくともいずれかに所定の透明度で重ね合わせて使用するフィルタを保持する、としてもよい。
【００１８】
また、本開示の一態様における情報処理装置では、前記広告用フィルタの使用履歴を保持する履歴保持部を更に備え、前記インセンティブ付与部は、前記広告用フィルタに関する、前記投稿者による使用程度を、前記使用履歴に基づき特定し、当該使用程度が所定基準に達している場合、当該投稿者による前記広告用フィルタの使用に際して所定の制限処理を適用する、としてもよい。
【００１９】
また、本開示の一態様における情報処理装置では、前記インセンティブ付与部は、前記制限処理として、前記広告用フィルタの使用拒否、または使用回数の上限設定、の少なくともいずれかを適用する、としてもよい。
【００２０】
上記目的を達成するために、本開示の一態様における情報処理方法は、情報処理装置が、コンテンツ加工に用いうる広告用フィルタを保持して、所定サイトにてコンテンツの投稿を行う端末に、前記広告用フィルタを配信するステップと、前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するステップと、を実行する。
【００２１】
上記目的を達成するために、本開示の一態様におけるプログラムは、情報処理装置において、コンテンツ加工に用いうる広告用フィルタを保持して、所定サイトにてコンテンツの投稿を行う端末に、前記広告用フィルタを配信するステップと、前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するステップと、を実行させるものである。
【発明の効果】
【００２２】
本開示によれば、コンテンツの投稿者およびユーザにおける、広告や課金に関する意識を適宜に抑制しつつ、当該コンテンツのクオリティや面白さの追求が可能となる。
【図面の簡単な説明】
【００２３】
【図１】本実施形態の情報処理装置を含むネットワーク構成例の図である。
【図２】本実施形態における情報処理装置の構成例を示す図である。
【図３】本実施形態におけるコンテンツＤＢの構成例を示す図である。
【図４】本実施形態におけるフィルタＤＢの構成例を示す図である。
【図５】本実施形態における使用履歴ＤＢの構成例を示す図である。
【図６】本実施形態におけるユーザ属性ＤＢの構成例を示す図である。
【図７】本実施形態における制限ルールＤＢの構成例を示す図である。
【図８】本実施形態の情報処理方法のフロー例１を示す図である。
【図９】本実施形態における画面例１を示す図である。
【図１０】本実施形態における画面例２を示す図である。
【図１１】本実施形態における画面例３を示す図である。
【図１２】本実施形態における画面例４を示す図である。
【図１３】本実施形態の情報処理方法のフロー例２を示す図である。
【図１４】本実施形態における画面例５を示す図である。
【図１５】本実施形態における画面例６を示す図である。
【図１６】本実施形態における画面例７を示す図である。
【図１７】本実施形態における画面例８を示す図である。
【図１８】本実施形態の情報処理方法のフロー例３を示す図である。
【図１９】本実施形態における画面例９を示す図である。
【図２０】本実施形態における画面例１０を示す図である。
【発明を実施するための形態】
【００２４】
＜情報処理装置を含むネットワーク構成＞
以下に本開示の実施形態について図面を用いて詳細に説明する。図１は、本実施形態の情報処理装置１０を含むネットワーク構成例の図である。
【００２５】
本実施形態の情報処理装置１０は、一例として、いわゆるＣＧＭ（ＣｏｎｓｕｍｅｒＧｅｎｅｒａｔｅｄ Ｍｅｄｉａ）の一種であるコンテンツ投稿サイトを管理、運用する装置を想定する。勿論、コンテンツ投稿サイトの例として、一般的なＳＮＳのサイトも含まれうる。また、情報処理装置１０が管理、運用する対象として、上述のコンテンツ投稿サイト以外にも、チャット形式でのメッセージングサービスも対象となりうる（後述）。
【００２６】
ここで例示する情報処理装置１０は、上述のコンテンツ投稿サイトを、インターネットなどのネットワークＮＷで公開するＷｅｂサーバである。ただしこうした形態の他、コンテンツサーバが情報処理装置１０として機能する形態を想定してもよい。なお、コンテンツサーバは、上述のＷｅｂサーバがネットワークＮＷに配信するコンテンツを管理、提供するサーバである。
【００２７】
情報処理装置１０が公開するコンテンツ投稿サイトでは、有名無名を問わず、様々なユーザが自身のコンテンツを投稿する。また同様に、様々なユーザがアクセスし、予め関係性を構築している家族や友人、知人などの他、好みの投稿者のコンテンツを閲覧する。こうした、投稿、閲覧の対象となるコンテンツは、主として投稿者が記述した記事、投稿者が被写体となった画像、映像などが主体となる。
【００２８】
また、上述のコンテンツのうち画像や映像は、投稿者やその知人等の人物が被写体となった撮影画像の他、あるいは当該人物やその他の被写体（例：動植物、恐竜、空想上の存在、輸送機械など）をイメージした、アバター、アイコン、アニメーション、グラフィックデザイン、なども想定できる。さらに、これらの画像や映像に合わせて、投稿者による楽曲、演奏、歌唱、朗読等の音源も付帯的なコンテンツとして組み込まれているとしてもよい。
【００２９】
なお、ここにおける「投稿者」がアニメーションのキャラクタなどの非自然人で、実際に端末（投稿者端末２）を操作して投稿動作を行うのが、当該キャラクタの管理者等の自然人、というパターンも想定しうる。この場合、キャラクタの画像や動画が、上述のコンテンツとなる。
【００３０】
また、コンテンツ投稿サイトのユーザは、自由意志で投稿者にも閲覧者にもなりうる。よって本来的には区別するものではないが、以後の説明では両者を区別する便宜上、広告用フィルタを使用して加工したコンテンツを投稿した者を投稿者、当該コンテンツを閲覧した者（当該コンテンツにおける広告用フィルタをクリック等した者も含みうる）を閲覧者、とする。
【００３１】
また、上述のコンテンツは、コンテンツ投稿サイトでの公開に際し、その投稿者による種々の加工が施され、相応のクオリティや面白さの追求が図られることになる。そこで、情報処理装置１０は、投稿者によるコンテンツ加工に伴い、当該コンテンツ加工のための広告用フィルタを当該投稿者の端末に配信し使用させる（勿論、強制ではない）。
【００３２】
なお、この広告用フィルタは、当該フィルタを広告手段の一つとして広告主が制作したもののほか、情報処理装置１０の運用者や、一般コンシューマが、広告主が提供する素材を利用し制作したものも含まれうる。また他にも、上述の一般コンシューマが、自身の活動や制作物を宣伝するために自身の活動や制作に関連する素材を利用し制作したものや、自分自身や自身のアバター、自身が制作したイラストやキャラクター等も含まれうる。
【００３３】
上述の広告用フィルタとしては、当然ながら広告効果を得るための構成を含んでいる。例えば、広告対象の商品やサービスのイメージキャラクタが、当該商品やサービスを使用している（飲食の概念も含みうる）画像、動画、音声など想定できる。
【００３４】
或いは、そうした商品やサービスは登場しないものの、当該イメージキャラクタが、様々な動作や感情を表現している画像、動画、音声なども想定できる。勿論、こうした「表現」には、「いいね」、「悲しいね」、「ひどいね」などといった意思表示も含まれうる。
【００３５】
また、上述の画像、動画、音声には、広告対象のイメージそのものの他、ロゴ、キャラクタ、アイコン、キャッチコピーの少なくともいずれかが含まれうる。いずれにしてもこうした広告用フィルタの構成は広告主によって自由に規定されるもので、本実施形態でも特段の限定はしない。
【００３６】
なお、広告用フィルタは、投稿者が投稿しようとするコンテンツである画像、動画、およびテキストの少なくともいずれかに対し、所定の透明度で重ね合わせて使用される、フィルタとなる。例えば、投稿者が写り込んだ画像に対し、誰かと会話中のイメージキャラクタの画像を含む広告用フィルタを所定の透明度で重ね合わせすることで、投稿者とイメージキャラクタが会話しているごとく見えるコンテンツを制作できる。また、広告用フィルタは、適用対象となるコンテンツ上のいずれかの位置に配置できる、上述のフィルタの他、アイコン、スタンプ、キャッチコピー、記号、文字、数字、画像、動画など様々な概念を想定しうる。
【００３７】
また、投稿者が何かを食べる動作を撮影した動画に対し、広告対象の商品の画像を含んだ広告用フィルタを所定の透明度で重ね合わせすることで、投稿者が該当商品を食べているかのごとく見えるコンテンツを制作できる。
【００３８】
また、そうした加工を行った画像等に対し、さらに広告対象の商品名やロゴのテキスト画像を含んだ広告用フィルタを所定の透明度で重ね合わせすることで、投稿者がイメージキャラクタと会話している内容が、当該商品名であるかのごとく見えるコンテンツなども制作できる。
【００３９】
いずれにしても、個人で制作するコンテンツが、著名な広告主とコラボして制作されたものと一見想像しうるほどのクオリティや面白さを醸し出すことも可能になる。そのため、投稿者としては満足いくクオリティのコンテンツ投稿が可能となり、また、そのコンテンツの閲覧者としては面白く質の高いコンテンツを閲覧し、十分な楽しみを感じることができる。
【００４０】
そこで、こうした広告用フィルタの取得、管理のため、図１で例示するネットワークＮＷには、情報処理装置１０と、投稿者端末２および閲覧者端末３とに加え、広告主端末４も通信可能に接続されている。
【００４１】
なお、投稿者端末２および閲覧者端末３としては、ネットワークＮＷへの適宜な通信機能を備えた、スマートフォン、タブレット端末、ノートＰＣ等を想定できる。また、その構成として、投稿者端末２には、アプリ２１０および撮影ユニット２１１が少なくとも含まれている。同様に、閲覧者端末３には、アプリ３１０および撮影ユニット３１１が少なくとも含まれている。
【００４２】
このうちアプリ２１０、３１０は、情報処理装置１０が公開するコンテンツ投稿サイトでのコンテンツの閲覧や投稿を行うためのアプリケーションである。なお、こうしたアプリ２１０のユーザである投稿者は、当該アプリ２１０でのコンテンツ投稿に際し、当該コンテンツに対する上述の広告用フィルタによる加工を行うこともできる。
【００４３】
例えば、投稿者は、アプリ２１０にて投稿を準備しているコンテンツに対して、情報処理装置１０から配信されている広告用フィルタを選択し、その広告用フィルタによる加工動作を行うことができる。一方、当該コンテンツの閲覧者は、そうした加工が施されたコンテンツを、アプリ３１０にて閲覧可能である。この場合、閲覧者は、閲覧中のコンテンツにて設定されている広告用フィルタに対して例えばタップ操作を行い、広告対象が公開された広告サイトに画面遷移させることもできる。
【００４４】
また、撮影ユニット２１１、３１１は、スマートフォン等に一般的に備わるデジタルカメラユニットであり、例えば投稿者やその知人ら、或いは風景やペットなど投稿者の意図する被写体に関して静止画、動画の撮影を行うための機能となる。
【００４５】
上述の閲覧者端末３を操作する閲覧者は、閲覧者端末３を介してコンテンツ投稿サイトにアクセスする。そして、家族や知人、或いはお気に入りの投稿者のコンテンツを閲覧する。
【００４６】
一方、投稿者端末２を操作する投稿者は、投稿者端末２を介してコンテンツ投稿サイトにアクセスし、例えば、自身で制作したコンテンツに広告用フィルタを適用して好みの加工を施し投稿する。そして、この投稿を通じてセルフプロデュースを行いたいと考える。
【００４７】
既に述べたように、投稿者においては、自身のコンテンツに関して多くの課金機会を得たいとの意識よりも、自身のセルフプロデュース成功に向けた意識の方が高い。そして、コンテンツの閲覧者とともに当該コンテンツを楽しみ、その結果として高評価を得ることが重要との想いが強い。当然、当該閲覧者に課金を意識させず、コンテンツの面白さを追求することが大切になってくる。
【００４８】
一方、コンテンツ投稿サイトを媒体として利用する広告主としては、例えば、影響力のあるユーザをターゲットに広告配信を行って情報拡散を図っても、却って忌避感を持たれる恐れもあるため、無闇な広告配信は回避したいとのニーズもある。
【００４９】
本実施形態における情報処理装置１０によれば、ＳＮＳ上にて既に一般的となっているフィルタ（本実施形態では広告用フィルタ）を用いたコンテンツ加工や、自身のコンテンツに設定した広告用フィルタに対する確認動作をマネタイズの契機とし、所定の経済的利益すなわちインセンティブをコンテンツの投稿者および閲覧者に付与することが可能である。このインセンティブの原資としては、広告用フィルタ提供元である広告主による広告料を想定できる。その場合、その原資から、広告用フィルタ使用回数などに応じた所定額の金員が、コンテンツの投稿者および閲覧者に付与されうる。
【００５０】
こうした状況は、投稿者からすれば、家族や知人等に対してクオリティや面白さを追求した好適なコンテンツを公開し、その認知を高めることが期待できる上、広告用フィルタの使用等に伴う経済的利益も併せて獲得できる。また、閲覧者からすれば、家族や知人、或いは好みの投稿者の質の高いコンテンツを気ままに閲覧し、それに設定された広告用フィルタを特段のハードルを感じることなくタップ等することで、インセンティブを獲得することにつながりうる。
【００５１】
つまり、コンテンツの投稿者および閲覧者における、コンテンツの投稿者および閲覧者における、広告や課金に関する意識を適宜に抑制しつつ、当該コンテンツのクオリティや面白さの追求が可能となるのである。また、広告主においても、無闇な広告配信を行ってユーザらから忌避されるリスクを効果的に回避するとともに、広告の訴求結果に応じた的確な広告料の支払管理が可能となる。
【００５２】
以下、本実施形態の情報処理装置１０の具体的な構成や、その処理手順等について順次説明する。
【００５３】
＜情報処理装置の構成＞
本実施形態における情報処理装置１０の構成は、図２に示すように、記憶部１１、メモリ１２、演算部１３、入力部１４、出力部１５、および、通信部１６、を備える。
【００５４】
このうち記憶部１１は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）といった不揮発性記憶素子で構成される。
【００５５】
記憶部１１には、本実施形態の情報処理装置として必要な機能を実装する為のプログラム５に加え、コンテンツＤＢ３０、フィルタＤＢ３１、使用履歴ＤＢ３２、ユーザ属性ＤＢ３３、および制限ルールＤＢ３４が少なくとも記憶されている。これらのデータベースの詳細については後述する。また、メモリ１２は、ＲＡＭなどの揮発性記憶素子で構成される。
【００５６】
また、演算部１３は、記憶部１１に保持されるプログラム５をメモリ１２に読み込んで実行し、情報処理装置として必要な機能を実装するＣＰＵを想定する。
【００５７】
ここで実装される機能は、投稿受付部２０、フィルタ配信部２１、インセンティブ付与部２２、および履歴管理部２３である。これらの詳細については後述する。
【００５８】
また、入力部１４は、ユーザからのキー入力や音声入力を受け付けるキーボードやマウス、キーパッド、タッチパネル、マイク等を想定する。また、出力部１５は、処理データの表示を行うディスプレイ等を想定する。ただし、入力部１４および出力部１５は、情報処理装置１０がスタンドアロンマシンである場合にユーザインターフェイスとして必須であって、サーバとしてのみ機能する場合、必須構成とはならない。
【００５９】
また、通信部１６は、ネットワークＮＷと接続して、投稿者端末２や閲覧者端末３、広告主端末４など他装置との通信処理を担うＮＩＣ（Ｎｅｔｗｏｒｋ  Ｉｎｔｅｒｆａｃｅ  Ｃａｒｄ）等を想定する。
【００６０】
＜データの具体例＞
次に、本実施形態の情報処理装置１０が利用する各種のデータベースについて説明する。図３に、本実施形態におけるコンテンツＤＢ３０の一例を示す。
【００６１】
コンテンツＤＢ３０は、投稿者端末２から投稿を受け付けたコンテンツを格納したデータベースである。
【００６２】
その構造は、例えば、コンテンツを一意に示すコンテンツＩＤをキー項目として、当該コンテンツの投稿者を示すユーザＩＤ、コンテンツの投稿日時、タイトル、説明文、ファイル名（格納先アドレスであってもよい）、使用フィルタ、およびサムネイル、といったデータを対応づけたレコードの集合体となっている。
【００６３】
このうち、使用フィルタは、投稿者が当該コンテンツの加工に用いた広告用フィルタのＩＤである。また、サムネイルは、該当コンテンツのプレビュー用コンテンツにあたる。
【００６４】
また図４に、本実施形態のフィルタＤＢ３１の構成例を示す。フィルタＤＢ３１は、コンテンツＤＢ３０で管理するコンテンツの制作或いは公開に際し、コンテンツ加工に適用しうる広告用フィルタであって、例えば、広告主により生成、登録されたフィルタの情報を格納したデータベースである。このフィルタＤＢ３１は、本実施形態におけるフィルタ保持部に該当する。
【００６５】
その構造は、例えば、広告用フィルタを一意に示すフィルタＩＤをキー項目として、当該フィルタの提供者を一意に示すユーザＩＤ、提供者の属性、タイトル、配信対象として好適な投稿者のユーザ属性、ファイル名（格納先アドレスであってもよい）、当該フィルタの単位使用（閲覧やクリック動作の概念含みうる。以下同様）当たり付与額、広告対象、残り原資、およびインセンティブ付与期間といったデータを対応づけたレコードの集合体となっている。
【００６６】
また図５に、本実施形態の使用履歴ＤＢ３２の構成例を示す。使用履歴ＤＢ３２は、フィルタＤＢ３１で管理する広告用フィルタが使用された履歴を格納したデータベースである。この使用履歴ＤＢ３２は、本実施形態における履歴保持部に該当する。
【００６７】
その構造は、例えば、広告用フィルタを一意に示すフィルタＩＤをキー項目として、当該広告用フィルタの使用者を一意に示すユーザＩＤ、および使用日といったデータを対応づけたレコードの集合体となっている。
【００６８】
また図６に、本実施形態のユーザ属性ＤＢ３３の構成例を示す。ユーザ属性ＤＢ３３は、コンテンツ投稿サイトのユーザである上述の投稿者および閲覧者の情報を登録、管理するデータベースである。このユーザ属性ＤＢ３３は、本実施形態における属性保持部に該当する。
【００６９】
その構造は、例えば、投稿者や閲覧者のユーザＩＤをキー項目として、当該ユーザの、年齢、性別、および趣味といった値を対応づけたレコードの集合体となっている。
【００７０】
また図７に、本実施形態の制限ルールＤＢ３４の構成例を示す。制限ルールＤＢ３４は、例えば、同じ広告用フィルタを短期間で繰り返し（加工に）使用する／（閲覧者が）クリックする、といった単なるインセンティブ目的の望ましくない広告用フィルタ使用を制限するルールを管理するデータベースである。
【００７１】
その構造は、例えば、制限ルールを一意に特定するルールＩＤをキー項目として、当該ルールにおける、制限適用基準、制限内容（広告用フィルタの使用拒否や使用回数の上限）、および適用対象の広告用フィルタのフィルタＩＤといった値を対応づけたレコードの集合体となっている。
【００７２】
＜投稿受付部の機能＞
情報処理装置１０が備える機能は、既に述べたように、投稿受付部２０、フィルタ配信部２１、インセンティブ付与部２２、および履歴管理部２３である。
【００７３】
このうち、投稿受付部２０は、ネットワークＮＷを介し、投稿者の端末すなわち投稿者端末２から、投稿者のセルフィー画像等を含む投稿対象となるコンテンツ（例えば、図９、図１０、図１２参照）の投稿を受け付ける。なお、このコンテンツの投稿は投稿者が行うが、その制作手法や制作主体については特に限定するものではない。ただし、当該コンテンツは、投稿者端末２において広告用フィルタが適用され加工が施されたものを含んでいるものとする。
【００７４】
また、投稿受付部２０は、上述のコンテンツの投稿を受け付け、当該コンテンツの情報をコンテンツＤＢ３０に格納する。
【００７５】
＜フィルタ配信部の機能＞
また、フィルタ配信部２１は、フィルタＤＢ３１に格納している広告用フィルタを、コンテンツ投稿サイトのユーザである投稿者の投稿者端末２に配信し、アプリ２１０でのコンテンツ制作に使用させる。この時、フィルタ配信部２１は、その投稿者端末２のユーザすなわち投稿者の属性をユーザ属性ＤＢ３３で特定し、その属性と適合性を有することが予め規定されたスタンプを配信するものとする。
【００７６】
例えば、あるコンテンツを制作中の投稿者の属性として、３０代、女性、である場合、広告用フィルタのうち「３０代」、「女性」に適合性を有するものをフィルタＤＢ３１の「好適なユーザ属性」欄の値に基づき特定し、これを配信する。
【００７７】
＜インセンティブ付与部の機能＞
また、インセンティブ付与部２２は、コンテンツ投稿サイトにてアプリ２１０を通じて広告用フィルタを適用し加工が施されたコンテンツ、または、閲覧者端末３で閲覧されているコンテンツ（広告用フィルタが適用されているもの）、或いは、閲覧者端末３で閲覧され広告用フィルタに対するタップ操作がなされたコンテンツ、に関し、当該コンテンツの投稿者および閲覧者の少なくともいずれかに対し、該当広告用フィルタに関して予め定めたインセンティブの付与処理を実行する。
【００７８】
上述の広告用フィルタの閲覧やタップ（クリック）に関するインセンティブは、当該広告用フィルタが適用されたコンテンツの投稿時にショットで発生するケースの他、当該コンテンツ（広告用フィルタも含みうる）に関するインプレッションやタップ等に応じて継続的に発生するケースも想定しうる。
【００７９】
なお、インセンティブ付与部２２は、広告用フィルタ使用（閲覧、タップ操作の概念含みうる）に対して無条件にインセンティブ付与を行うものではない。そのために例えば、上述の投稿者や閲覧者による各広告用フィルタの使用程度が、制限ルールＤＢ３４で該当広告用フィルタに関して予め定めた基準に達している場合、当該広告用フィルタの使用自体を制限する措置を講じる。
【００８０】
その措置とは、図７の制限ルールＤＢ３４でも示したように、アプリ２１０、３１０にて該当広告用フィルタをグレーアウトさせてタップ操作出来ないよう表示制御を行うなどし、使用自体を拒否するものや、延べの使用回数の上限を設定する、といったものを想定する。勿論、こうした制限例は一例であり、例えば広告主の意向により任意に設定可能なものである。
【００８１】
また、インセンティブ付与部２２は、広告用フィルタが使用されただけでインセンティブを付与するケースの他、当該広告用フィルタに対応した広告コンテンツが閲覧された場合、すなわち広告がターゲットにリーチしたことをもってインセンティブ付与の契機とするケースにも対応している。
【００８２】
その場合、インセンティブ付与部２２は、上述のコンテンツ投稿サイトにおける閲覧者の閲覧画面で表示させているコンテンツにおける、広告用フィルタのタップ操作等を閲覧者端末３から受けた場合、または、閲覧者端末３により該当広告用フィルタに対応した特定コンテンツへのアクセスがなされた場合、これをインセンティブ付与の契機とする。
【００８３】
上述のタップ操作等がなされると、該当オブジェクトに埋め込まれたＵＲＬをキーに画面遷移が行われ、広告コンテンツのサイトが閲覧者端末３に表示されることになる。この状態は、広告がターゲットである閲覧者にリーチしたと認識される。
【００８４】
なお、インセンティブ付与部２２が、投稿者および閲覧者に付与するインセンティブは、広告用フィルタ提供元である広告主による広告料を原資としたものとなる。
【００８５】
その場合、インセンティブ付与部２２は、使用履歴ＤＢ３２において該当広告用フィルタの使用履歴を参照し、広告用フィルタを使用したユーザ（閲覧者）ごとに使用回数をカウントする。そして、この使用回数に対し、フィルタＤＢ３１の該当スタンプに関する「単位使用当たり付与額」の値を乗算することで、上述の閲覧者と該当コンテンツの投稿者に対して支払われる金員の総額を算定することとなる。
【００８６】
なお、上述の単位使用当たり付与額の値は、広告用フィルタによる広告訴求の必要度、緊急度、および訴求範囲の少なくともいずれかに応じて広告主が予め定めたものとなる。
【００８７】
支払われる金員の総額のうち、閲覧者と投稿者の間の分配比率は、予め規定されているものとする。よってインセンティブ付与部２２は、その分配比率に応じた額の金員を、閲覧者／投稿者の各インセンティブとして付与する。付与の手法としては、例えば、閲覧者や投稿者が指定した銀行口座への振込、電子マネーでの付与、など種々採用可能である。
【００８８】
＜履歴管理部の機能＞
また、履歴管理部２３は、コンテンツ投稿サイトで閲覧者端末３にて閲覧されているコンテンツに関し、閲覧者端末３にていずれかの広告用フィルタがタップ操作等された場合、その広告用フィルタの使用履歴の情報を使用履歴ＤＢ３２に格納する。
【００８９】
そのため履歴管理部２３は、閲覧者端末３での広告用フィルタの使用すなわちクリックやタップのイベントを感知して、その閲覧者端末３からユーザＩＤ、イベント対象の広告用フィルタのフィルタＩＤ、および、イベント発生日すなわち使用日の各値を取得する。また、ここで得た値を含むレコードを生成し、これを使用履歴ＤＢ３２に格納することとなる。
【００９０】
続いて、本実施形態における情報処理方法の実際手順について、以下に説明する。
【００９１】
＜情報処理方法：広告用フィルタの登録要求に伴う手順＞
図８は、本実施形態における情報処理方法のフロー例１を示す図であり、具体的には、広告主による広告用フィルタの登録要求に伴う処理について説明する。以下で説明する情報処理方法に対応する各種動作は、例えば、情報処理装置１０が実行するプログラムにより実装される。また、プログラムは、以下に説明される各種の動作を行うためのコードから構成されている。なお、企業等の広告主が、その広告主端末４を操作し、例えば広告対象のイメージキャラクタに基づく広告用フィルタを登録しようとしている状況を一例として想定する。
【００９２】
この場合、情報処理装置１０は、アクセスしてきた広告主端末４に対して広告用フィルタ登録受付用画面８００（図９〜図１２）を配信し、この画面８００を介して、例えば広告主により制作された広告用フィルタ８０１のデータや、タイトル８０２、好適なユーザ属性８０３、単位使用当たり付与額８０４、広告対象８０５、広告原資の額８０６、インセンティブ付与期間８０７等の各データの入力を受け付ける（ｓ１）。
【００９３】
図９〜図１２にて例示するように、この広告用フィルタ８０１は、例えば広告対象の商品画像８１０と、これを保持する人物フレーム８１５（図１１の場合は動物フレーム８１５）とを含む構成となっている。広告用フィルタ８０１の使用者である投稿者は、この広告用フィルタ８０１における人物フレーム８１５を目標に、自撮り画像における自身のイメージを重ね合わせることで、投稿者がこの広告対象の商品を保持しているかのごときコンテンツを制作できる。なお、商品画像８１０は、商品そのもののイメージに限定されず、有料サービスにつながるコンテンツやアイコン、スタンプ、或いはキャッチコピーなど様々採用しうる。
【００９４】
続いて情報処理装置１０は、上述のｓ１で得た広告用フィルタ８０１の各データを、フィルタＤＢ３１に格納する（ｓ２）。ここで格納するデータは、当該広告用フィルタを一意に特定すべく、フィルタＤＢ３１には未登録のフィルタＩＤを生成・付与し、このフィルタＩＤに各データを紐付けたものとなる。
【００９５】
＜情報処理方法：コンテンツの投稿に伴う手順＞
図１３は、本実施形態における情報処理方法のフロー例２を示す図である。ここでは、投稿者によるコンテンツの投稿に伴う処理について説明する。なお、コンテンツ投稿サイトの所定ユーザが、その投稿者端末２を操作し、自身を被写体とした画像ないし映像をコンテンツとして投稿しようとしている状況を一例として想定する。
【００９６】
この場合、投稿受付部２０は、アクセスしてきた投稿者端末２に対して投稿受付用画面７００（図１４〜図１７）を配信し、この画面７００を介して、例えば投稿者のセルフィー画像７０１のデータや、タイトル７０２、および説明文７０３等の各データの投稿要求を受け付ける（ｓ１０）。
【００９７】
続いてフィルタ配信部２１は、上述の投稿者のユーザ属性をユーザ属性ＤＢ３３で検索し、このユーザ属性（例：女性、３０代）にマッチする広告用フィルタ（例：ｓ０００１）をフィルタＤＢ３１から抽出し、投稿者端末２に配信する（ｓ１１）。
【００９８】
この場合の投稿者端末２は、配信された広告用フィルタを、図１４〜図１７の画面７００におけるプルダウンメニュー７０４のように、アプリ２１０にて選択可能に表示させる。また、投稿者端末２のアプリ２１０は、この画面７００で投稿者が選択した広告用フィルタの情報を、情報処理装置１０に通知する。
【００９９】
一方、情報処理装置１０のインセンティブ付与部２２は、投稿者端末２から通知された広告用フィルタに関して、当該投稿者端末２のユーザすなわち投稿者による使用程度を、コンテンツＤＢ３０（ないし使用履歴ＤＢ３２）に基づき特定し、その使用程度が所定基準に達しているか判定する（ｓ１２）。
【０１００】
より具体的には、該当広告用フィルタに関する、上述の投稿者端末２のユーザによる使用履歴として、コンテンツＤＢ３０における各レコードのうち該当広告用フィルタを使用フィルタ欄に含むレコードのうち、そのユーザＩＤ欄が該当投稿者のユーザＩＤであるものの数をカウントする。すなわち、投稿者による使用回数を算定する。
【０１０１】
また、制限ルールＤＢ３４におけるレコードのうち、フィルタＩＤ欄に該当広告用フィルタのＩＤを含むレコードから、「１回」などといった制限適用基準の値を特定し、この値と上述の使用回数を比較して、使用程度が制限適用基準に達しているか判定することとなる。
【０１０２】
上述の判定の結果、使用制限を適用する必要があることが判明した場合（ｓ１３：Ｙ）、インセンティブ付与部２２は、上述の制限ルールＤＢ３４における該当レコードで規定されている制限内容に対応した制限処理を実行する（ｓ１４）。具体的には、上述の画面７００のプルダウンメニュー７０４における該当広告用フィルタの表示形態をグレーアウト状態に変化させ、その使用を拒否する処理などを想定できる。
【０１０３】
一方、広告用フィルタを選択した投稿者は、アプリ２１０を操作して、図１４〜図１７で例示するようにセルフィー画像７０１に対して当該広告用フィルタ８１０を重ね合わせる加工を行い、ＯＫボタン７０５をタップしたとする。
【０１０４】
この場合、投稿受付部２０は、上述の広告用フィルタによる加工が施されたコンテンツの投稿を投稿者端末２から受け付けて（ｓ１５）、これをコンテンツＤＢ３０に格納する（ｓ１６）。ここで格納する情報は、当該コンテンツを一意に特定すべく、コンテンツＤＢ３０には未登録のコンテンツＩＤを生成・付与し、このコンテンツＩＤに各情報を紐付けたものとなる。
【０１０５】
続いて、インセンティブ付与部２２は、上述の投稿者端末２による広告用フィルタの使用イベントの発生に伴い、インセンティブの付与処理を実行し（ｓ１７）、処理を終了する。インセンティブ付与は、当該広告用フィルタの使用回数に、単位使用当たり付与額を乗算して得た値を該当投稿者に付与する場合の他にも、該当広告用フィルタを閲覧しタップ操作等を行った閲覧者に対して付与する場合も想定できる。その場合のインセンティブ付与については後述する。
【０１０６】
なお、インセンティブ付与部２２は、上述のインセンティブの付与処理に際し、広告主が該当広告用フィルタによる広告訴求の必要度、緊急度、および訴求範囲の少なくともいずれかに応じて予め定めた、単位使用当たり付与額をフィルタＤＢ３１で特定し、この額に、該当広告用フィルタの累積使用数（使用回数）を乗算して、上述の投稿者（と該当コンテンツの閲覧者）に対して支払われる金員の総額を算定する。例えば、単位使用当たり付与額が「１０」円で、累積使用数が「２８」であれば、金員の総額は「２８０円」となる。
【０１０７】
また、インセンティブ付与部２２は、インセンティブ付与に際し、算定した総額のうち例えば半分を投稿者、残り半分を閲覧者で分け合う、といった按分方式でインセンティブ付与の処理を実行してもよい。
【０１０８】
なお、上述のインセンティブの付与処理に際し、インセンティブ付与部２２は、投稿者や閲覧者ごとに予め提示されている銀行口座への振り込み処理を、例えば、インターネットバンキングシステムを利用して実行するものとする。
【０１０９】
＜情報処理方法：コンテンツ閲覧に伴う手順＞
続いて、閲覧者によるコンテンツの閲覧および当該コンテンツの広告用フィルタ対するタップ操作等の動作に伴う、情報処理装置１０における処理について説明する。図１８は、本実施形態における情報処理方法のフロー例３を示す図である。
【０１１０】
この場合、情報処理装置１０は、閲覧者端末３のアプリ３１０からのリクエストに応じ、コンテンツＤＢ３０からコンテンツを読み出してネットワークＮＷ経由で、閲覧者端末３に配信（図１９の画面１３００）しているものとする（ｓ２０）。
【０１１１】
この画面１３００を閲覧中の閲覧者は、閲覧中のコンテンツ１３１０に含まれている広告用フィルタ８１０（具体的には広告用フィルタが含む広告対象のオブジェクト）に関して興味を示し、タップ操作等を行おうとしているものとする。
【０１１２】
そこで、インセンティブ付与部２２は、ｓ２０で配信したコンテンツが含む広告用フィルタ８１０に関する、上述の閲覧者端末３のユーザすなわち閲覧者による使用程度を、使用履歴ＤＢ３２に基づき特定し、その使用程度が所定基準に達しているか判定する（ｓ２１）。
【０１１３】
より具体的には、広告用フィルタ８１０に関する、上述の閲覧者端末３のユーザによる使用履歴として、使用履歴ＤＢ３２における各レコードのうち該当広告用フィルタのレコードのユーザＩＤ欄を参照し、上述のユーザのユーザＩＤをカウントする。すなわち、使用回数を算定する。また、制限ルールＤＢ３４におけるレコードのうち、フィルタＩＤ欄に該当広告用フィルタのＩＤを含むレコードから、「１回」などといった制限適用基準の値を特定し、この値と上述の使用回数を比較して、使用程度が制限適用基準に達しているか判定することとなる。
【０１１４】
上述の判定の結果、使用制限を適用する必要があることが判明した場合（ｓ２２：Ｙ）、インセンティブ付与部２２は、上述の制限ルールＤＢ３４における該当レコードで規定されている制限内容に対応した制限処理を実行する（ｓ２３）。具体的には、上述の画面１３００における該当広告用フィルタ８１０の表示形態をグレーアウト状態に変化させ、その使用を拒否する処理などを想定できる。
【０１１５】
続いて、インセンティブ付与部２２は、上述の閲覧者端末３における、使用可能な広告用フィルタ８１０のクリックすなわち使用イベントの発生を検知して（ｓ２５：Ｙ）、該当広告用フィルタ８１０に関して新たなレコードを生成し使用履歴ＤＢ３２に格納する（ｓ２６）。
【０１１６】
次にインセンティブ付与部２２は、コンテンツ１３１０の広告用フィルタ８１０に対する上述のクリックないしタッチの操作に応じ、インセンティブの付与処理を実行し（ｓ２７）、処理を終了する。
【０１１７】
上述のように、広告用フィルタ８１０に対するクリック等をｓ２７の判断根拠とする場合の他にも、該当広告用フィルタ８１０へのクリックにより、該当広告用フィルタ８１０に埋め込まれたＵＲＬに画面遷移させ、この遷移先の画面（図２０の画面１４００）で表示された広告コンテンツの閲覧が一定時間なされた場合、といった条件を判断根拠とするとしてもよい。或いは、単に広告用フィルタ８１０に対するクリック操作の有無のみをインセンティブ付与の判断根拠としてもよい。
【０１１８】
一方、インセンティブ付与部２２は、上述のインセンティブの付与処理に際し、広告主が該当広告用フィルタ８１０による広告訴求の必要度、緊急度、および訴求範囲の少なくともいずれかに応じて予め定めた、単位使用当たり付与額をフィルタＤＢ３１で特定し、この額に、該当広告用フィルタ８１０の累積使用数（使用回数）を乗算して、上述の閲覧者と該当コンテンツ１３１０の投稿者に対して支払われる金員の総額を算定する。例えば、単位使用当たり付与額が「１０」円で、累積使用数が「２８」であれば、金員の総額は「２８０円」となる。
【０１１９】
また、インセンティブ付与部２２は、ｓ２７におけるインセンティブ付与に際し、算定した総額のうち例えば半分を投稿者、残り半分を閲覧者で分け合う、といった按分方式でインセンティブ付与の処理を実行する。
【０１２０】
なお、上述のインセンティブの付与処理に際し、インセンティブ付与部２２は、投稿者や閲覧者ごとに予め提示されている銀行口座への振り込み処理を、例えば、インターネットバンキングシステムを利用して実行するものとする。
【０１２１】
勿論、上述のインセンティブの算定体系や入金処理の手法などはあくまで一例であり、例えば、コンテンツ投稿サイトの運営者が、サービス運用規定やリソース等を踏まえて適宜に選択・採用すればよい。
【０１２２】
上述の実施形態では、コンテンツ投稿サイトでの広告用フィルタ使用に伴うインセンティブ付与に関して説明したが、チャット形式でのメッセージングサービスにて、上述の広告用フィルタ配信を各ユーザの端末に行い、当該広告用フィルタ使用に伴うインセンティブ付与を行う形態も想定できる。
【０１２３】
以上、本開示を実施するための最良の形態などについて具体的に説明したが、本開示はこれに限定されるものではなく、その要旨を逸脱しない範囲で種々変更可能である。
【０１２４】
こうした本実施形態によれば、コンテンツの投稿者およびユーザにおける、広告や課金に関する意識を適宜に抑制しつつ、当該コンテンツのクオリティや面白さの追求が可能となる。
【０１２５】
なお、情報処理装置を構成する各機能を実現するためのプログラムを、コンピュータで読み取り可能な記録媒体に記録し、この記録媒体に記録されたプログラムをコンピュータシステムに読み込ませ、指示することによって、本実施形態の情報処理方法を実現するとしてもよい。
【０１２６】
具体的には、当該プログラムは、情報処理装置において、コンテンツ加工に用いうる広告用フィルタを保持して、所定サイトにてコンテンツの投稿を行う端末に、前記広告用フィルタを配信する動作と、前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行する動作と、をコンピュータによって実現するためのプログラムである。
【０１２７】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ、ＵＳＢメモリ等の可搬媒体、コンピュータシステムに内蔵されるハードディスクやＳＳＤ等の記憶装置のことをいう。
【０１２８】
さらに「コンピュータで読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。
【０１２９】
また、上記プログラムは、前述した機能の一部を実現するためのものであってもよく、さらに前述した機能をコンピュータシステムにすでに記録されているプログラムとの組み合わせで実現できるものであってもよい。
【符号の説明】
【０１３０】
ＮＷ  ネットワーク
２  投稿者端末
３  閲覧者端末
４  広告主端末
５  プログラム
１０  情報処理装置
１１  記憶部
１２  メモリ
１３  演算部
１４  入力部
１５  出力部
１６  通信部
２０  投稿受付部
２１  フィルタ配信部
２２  インセンティブ付与部
２３  履歴管理部
３０  コンテンツＤＢ
３１  フィルタＤＢ（フィルタ保持部）
３２  使用履歴ＤＢ（履歴保持部）
３３  ユーザ属性ＤＢ（属性保持部）
３４  制限ルールＤＢ
２１０  アプリ
２１１  撮影ユニット
３１０  アプリ
３１１  撮影ユニット
【図１】
2020177359.tif 000003
【図２】
2020177359.tif 000004
【図３】
2020177359.tif 000005
【図４】
2020177359.tif 000006
【図５】
2020177359.tif 000007
【図６】
2020177359.tif 000008
【図７】
2020177359.tif 000009
【図８】
2020177359.tif 000010
【図９】
2020177359.tif 000011
【図１０】
2020177359.tif 000012
【図１１】
2020177359.tif 000013
【図１２】
2020177359.tif 000014
【図１３】
2020177359.tif 000015
【図１４】
2020177359.tif 000016
【図１５】
2020177359.tif 000017
【図１６】
2020177359.tif 000018
【図１７】
2020177359.tif 000019
【図１８】
2020177359.tif 000020
【図１９】
2020177359.tif 000021
【図２０】
2020177359.tif 000022
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
コンテンツ加工に際し、当該コンテンツに広告素材を重ね合わせて用いる広告用フィルタを保持するフィルタ保持部と、
所定サイトにてコンテンツの投稿を行う端末に、前記広告用フィルタを配信するに際し、当該投稿を行う投稿者の属性を、当該投稿者に関して予め保持する属性情報で特定し、前記属性と適合性を有することが予め規定された広告用フィルタを、前記端末に配信するフィルタ配信部と、
前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するインセンティブ付与部と、
を備える情報処理装置。
【請求項２】
前記インセンティブ付与部は、
前記コンテンツにおける前記広告用フィルタに対し、前記閲覧者による所定操作を当該端末から受けた場合、または、前記操作により前記広告用フィルタに対応した特定コンテンツへのアクセスがなされた場合、前記インセンティブの付与処理を実行する、請求項１記載の情報処理装置。
【請求項３】
前記インセンティブ付与部は、
前記付与処理に際し、前記インセンティブとして、前記広告用フィルタの提供元である広告主による広告料を原資とした所定額の金員を、前記投稿者および前記閲覧者の少なくともいずれかに付与する、請求項１または２のいずれか記載の情報処理装置。
【請求項４】
前記インセンティブ付与部は、
前記広告主が前記広告用フィルタによる広告訴求の必要度、緊急度、および訴求範囲の少なくともいずれかに応じて予め定めた、前記広告用フィルタの単位使用当たりないし単位閲覧当たりの付与額を、前記投稿者による広告用フィルタ使用回数ないし前記閲覧者による広告用フィルタ閲覧回数に適用して、前記金員の額を算定する、請求項３記載の情報処理装置。
【請求項５】
前記フィルタ保持部は、
前記広告用フィルタとして、広告対象の画像、ロゴ、キャラクタ、キャッチコピー、および広告動画の少なくともいずれかを、前記コンテンツである画像、動画、およびテキストの少なくともいずれかに所定の透明度で重ね合わせて使用するフィルタを保持する、請求項１〜４のいずれか記載の情報処理装置。
【請求項６】
前記広告用フィルタの使用履歴を保持する履歴保持部を更に備え、
前記インセンティブ付与部は、
前記広告用フィルタに関する、前記投稿者による使用程度を、前記使用履歴に基づき特定し、当該使用程度が所定基準に達している場合、当該投稿者による前記広告用フィルタの使用に際して所定の制限処理を適用する、請求項１記載の情報処理装置。
【請求項７】
前記インセンティブ付与部は、
前記制限処理として、前記広告用フィルタの使用拒否、または使用回数の上限設定、の少なくともいずれかを適用する、請求項６記載の情報処理装置。
【請求項８】
情報処理装置が、
コンテンツ加工に際し、当該コンテンツに広告素材を重ね合わせて用いる広告用フィルタを保持して、
所定サイトにてコンテンツの投稿を行う端末に、前記広告用フィルタを配信するに際し、当該投稿を行う投稿者の属性を、当該投稿者に関して予め保持する属性情報で特定し、前記属性と適合性を有することが予め規定された広告用フィルタを、前記端末に配信するステップと、
前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するステップと、
を実行する情報処理方法。
【請求項９】
情報処理装置において、
コンテンツ加工に際し、当該コンテンツに広告素材を重ね合わせて用いる広告用フィルタを保持して、
所定サイトにてコンテンツの投稿を行う端末に、前記広告用フィルタを配信するに際し、当該投稿を行う投稿者の属性を、当該投稿者に関して予め保持する属性情報で特定し、前記属性と適合性を有することが予め規定された広告用フィルタを、前記端末に配信するステップと、
前記端末において前記広告用フィルタによる加工が施された前記コンテンツが、前記サイトに投稿された場合、当該コンテンツの投稿者および当該コンテンツの閲覧者の少なくともいずれかに対し、前記広告用フィルタに関して予め定めたインセンティブの付与処理を実行するステップと、
を実行させるプログラム。